【手続補正書】
【提出日】平成20年9月11日(2008.9.11)
【手続補正１】
【補正対象書類名】明細書
【補正対象項目名】特許請求の範囲
【補正方法】変更
【補正の内容】
【特許請求の範囲】
【請求項１】  固形物中に含有されるダイオキシン類を分解して無害化する際に、
前記ダイオキシン類を含有する固形物と水とから成るスラリーに、酸素酸塩を添加すると共に、
アルカリ性または酸性に保持した前記スラリーに攪拌を施しつつ、含有ダイオキシン類を脱塩素反応または生じるヒドロキシラジカルによって分解できるように、前記スラリーに紫外線を照射することを特徴とするダイオキシン類含有固形部の処理方法。
【請求項２】  前記固形物に含有されるダイオキシン類が、主としてポリクロロジベンゾ−パラ−ジオキシンからなり、塩素数が７個以上のポリクロロジベンゾフランの含有量が、塩素数が８個のポリクロロジベンゾ−パラ−ジオキシンの含有量の１／１０以下であるとき、前記スラリーをアルカリ性として、前記ポリクロロジベンゾ−パラ−ジオキシンを脱塩素反応によって分解し得る波長の紫外線を照射することを特徴とする請求項１記載のダイオキシン類含有固形部の処理方法。
【請求項３】  前記固形物に含有されるダイオキシン類が、主としてポリクロロジベンゾフランからなり、塩素数が８個のポリクロロジベンゾ−パラ−ジオキシンの含有量が、塩素数が７個以上のポリクロロジベンゾフランの含有量の１／２以下であるとき、前記スラリーを酸性として、紫外線を照射して生じるヒドロキラジカルによって前記ポリクロロジベンゾフランを分解することを特徴とする請求項１記載のダイオキシン類含有固形部の処理方法。
【請求項４】  固形物中に含有されるダイオキシン類を分解して無害化する際に、
前記ダイオキシン類を含有する固形物と水とから成り、酸素酸塩が添加されたスラリーを、アルカリ性に保持すると共に、攪拌を施しつつ、含有ダイオキシン類を脱塩素反応によって分解し得る波長の紫外線を前記スラリーに照射し、
次いで、前記紫外線照射を施して得た紫外線照射スラリーを、攪拌しつつ酸性に保持すると共に、生じるヒドロキラジカルによって残存含有ダイオキシン類を分解し得るように、前記紫外線照射スラリーに紫外線を照射することを特徴とするダイオキシン類含有固形部の処理方法。
【請求項５】  固形物中に含有されるダイオキシン類を分解して無害化する際に、
前記ダイオキシン類を含有する固形物と水とから成り、酸素酸塩が添加されたスラリーを、攪拌しつつ酸性に保持すると共に、生じるヒドロキラジカルによって含有ダイオキシン類を分解し得るように、前記スラリーに紫外線を照射し、
次いで、前記紫外線照射を施して得た紫外線照射スラリーをアルカリ性に保持すると共に、前記紫外線照射スラリーに攪拌を施しつつ、残存ダイオキシン類を脱塩素反応によって分解し得る波長の紫外線を前記紫外線照射スラリーに照射することを特徴とするダイオキシン類含有固形部の処理方法。
【請求項６】  酸素酸塩として、金属酸素酸塩を用いる請求項１〜５のいずれか一項記載のダイオキシン類含有固形部の処理方法。
【請求項７】  酸素酸塩として、過硫酸塩を用いる請求項１〜５のいずれか一項記載のダイオキシン類含有固形部の処理方法。
【請求項８】  照射する紫外線として、波長が３００〜５８７ｎｍの紫外線を用いる請求項１〜７のいずれか一項記載のダイオキシン類含有固形部の処理方法。
【請求項９】  紫外線を照射する際にスラリーを攪拌する攪拌手段として超音波を用いる請求項１〜８のいずれか一項記載のダイオキシン類含有固形部の処理方法。
【請求項１０】  固形物中に含有されるダイオキシン類を分解して無害化するダイオキシン類含有固形部の処理装置であって、
前記ダイオキシン類を含有する固形物と水とから成るスラリーを貯留し、該スラリーを攪拌する攪拌機を有した調整槽と、
該調整槽に貯留されたスラリーに、酸素酸塩を投入する投入手段と、
前記調整槽に貯留されたスラリーをアルカリ性または酸性に保持するｐＨ保持手段と、
ｐＨ調整されたスラリーに含有されているダイオキシン類を脱塩素反応または生じるヒドロキシラジカルによって分解できるように、前記スラリーに紫外線を照射する紫外線照射手段と前記ｐＨ調整されたスラリーを攪拌する攪拌手段が設けられた紫外線照射槽と、
前記スラリーを前記調整槽と前記紫外線照射槽とで循環させる循環手段とを具備することを特徴とするダイオキシン類含有固形部の処理装置。
【請求項１１】  前記紫外線照射手段として波長が３００〜５８７ｎｍの紫外線ランプを用いる請求項１０記載のダイオキシン類含有固形部の処理装置。
【請求項１２】  前記攪拌手段として、超音波を用いる請求項１０または１１記載のダイオキシン類含有固形部の処理装置。
【手続補正２】
【補正対象書類名】明細書
【補正対象項目名】０００７
【補正方法】変更
【補正の内容】
【０００７】
すなわち、本発明は、固形物中に含有されるダイオキシン類を分解して無害化する際に、前記ダイオキシン類を含有する固形物と水とから成るスラリーに、酸素酸塩を添加すると共に、アルカリ性または酸性に保持した前記スラリーに攪拌を施しつつ、含有ダイオキシン類を脱塩素反応または生じるヒドロキシラジカルによって分解できるように、前記スラリーに紫外線を照射することを特徴とする。これによりダイオキシン類を高い除去率で分解除去することができる。
上記処理方法において、前記固形物に含有されるダイオキシン類が、主としてポリクロロジベンゾ−パラ−ジオキシンからなり、塩素数が７個以上のポリクロロジベンゾフランの含有量が、塩素数が８個のポリクロロジベンゾ−パラ−ジオキシンの含有量の１／１０以下であるとき、前記スラリーをアルカリ性として、前記ポリクロロジベンゾ−パラ−ジオキシンを脱塩素反応によって分解し得る波長の紫外線を照射するとダイオキシン類を高い除去率で分解除去することができる。
【手続補正３】
【補正対象書類名】明細書
【補正対象項目名】０００８
【補正方法】変更
【補正の内容】
【０００８】
また、上記処理方法において、前記固形物に含有されるダイオキシン類が、主としてポリクロロジベンゾフランからなり、塩素数が８個のポリクロロジベンゾ−パラ−ジオキシンの含有量が、塩素数が７個以上のポリクロロジベンゾフランの含有量の１／２以下であるとき、前記スラリーを酸性として、紫外線を照射して生じるヒドロキラジカルによって前記ポリクロロジベンゾフランを分解することによって、ダイオキシン類を高い除去率で分解除去することができる。このようにダイオキシン類の含有量に注目して限定したのは、ポリクロロジベンゾ−パラ−ジオキシンとポリクロロジベンゾフランの最適な分解条件が異なることと、特に他と比較して７塩素体ジベンゾフランの分解反応が成され難く、毒性も８塩素体ジベンゾ−パラ−ジオキシンの毒性よりも１００倍ほど高いからである。
【手続補正４】
【補正対象書類名】明細書
【補正対象項目名】０００９
【補正方法】変更
【補正の内容】
【０００９】
また、本発明は、固形物中に含有されるダイオキシン類を分解して無害化する際に、前記ダイオキシン類を含有する固形物と水とから成り、酸素酸塩が添加されたスラリーを、アルカリ性に保持すると共に、攪拌を施しつつ、含有ダイオキシン類を脱塩素反応によって分解し得る波長の紫外線を前記スラリーに照射し、次いで、前記紫外線照射を施して得た紫外線照射スラリーを、攪拌しつつ酸性に保持すると共に、生じるヒドロキラジカルによって残存含有ダイオキシン類を分解し得るように、前記紫外線照射スラリーに紫外線を照射することを特徴とする。
【手続補正５】
【補正対象書類名】明細書
【補正対象項目名】００１０
【補正方法】変更
【補正の内容】
【００１０】
さらに、本発明で、固形物中に含有されるダイオキシン類を分解して無害化する際に、前記ダイオキシン類を含有する固形物と水とから成り、酸素酸塩が添加されたスラリーを、攪拌しつつ酸性に保持すると共に、生じるヒドロキラジカルによって含有ダイオキシン類を分解し得るように、前記スラリーに紫外線を照射し、次いで、前記紫外線照射を施して得た紫外線照射スラリーをアルカリ性に保持すると共に、前記紫外線照射スラリーに攪拌を施しつつ、残存ダイオキシン類を脱塩素反応によって分解し得る波長の紫外線を前記紫外線照射スラリーに照射することを特徴とする。
これら処理方法により、ポリクロロジベンゾ−パラ−ジオキシン、ポリクロロジベンゾフランはもちろんのことコプラナーＰＣＢをも高い除去率で分解除去することができる。
【手続補正６】
【補正対象書類名】明細書
【補正対象項目名】００１２
【補正方法】変更
【補正の内容】
【００１２】
本発明は、固形物中に含有されるダイオキシン類を分解して無害化するダイオキシン類含有固形部の処理装置であって、前記ダイオキシン類を含有する固形物と水とから成るスラリーを貯留し、該スラリーを攪拌する攪拌機を有した調整槽と、該調整槽に貯留されたスラリーに、酸素酸塩を投入する投入手段と、前記調整槽に貯留されたスラリーをアルカリ性または酸性に保持するｐＨ保持手段と、ｐＨ調整されたスラリーに含有されているダイオキシン類を脱塩素反応または生じるヒドロキシラジカルによって分解できるように、前記スラリーに紫外線を照射する紫外線照射手段と前記ｐＨ調整されたスラリーを攪拌する攪拌手段が設けられた紫外線照射槽と、前記スラリーを前記調整槽と前記紫外線照射槽とで循環させる循環手段とを具備することを特徴とする。これにより効率良く処理可能な処理装置を提供することができる。
また、紫外線照射手段としては、波長が３００〜５８７ｎｍの紫外線ランプが使用でき、攪拌手段としては、超音波を用いるとよい。